(57)【要約】      （修正有）【課題】上面カバーを損傷することなく、容易に側面カバーを着脱することができ、作業性を向上させるとともに、アクチュエータを大型化することなくコスト抑制を図る。【解決手段】螺旋状の第１の転動体転走溝が外周に形成された長尺のねじ軸と、ねじ軸が貫通するねじ孔が形成されると共に、外周にねじ軸と平行に形成された第２の転動体転走溝を有するインナーブロックと、第２の転動体転走溝と対向するアウターレール８０と、複数の転動体とを有するアクチュエータにおいて、ねじ軸の両端部に設置される一対の端部部材３１の間にかけ渡される側面カバー４０と、側面カバー間に形成されると共にねじ軸と平行に開口した開口部を閉塞するように配置される上面カバーとを備え、側面カバーは、上面カバーと平行に形成される上板４１と、上板の一端から垂下する側板４２とを備え、端部部材は、上板と側板のコーナー部に接触する姿勢保持手段を有する。【選択図】図３
2014238134.tif 000002
【特許請求の範囲】
【請求項１】
螺旋状の第１の転動体転走溝が外周に形成された長尺のねじ軸と、
前記ねじ軸が貫通するねじ孔が形成されると共に、外周に前記ねじ軸と平行に形成された第２の転動体転走溝を有するインナーブロックと、
前記第２の転動体転走溝と対向するアウターレールと、
前記ねじ軸と前記インナーブロックの間および、前記インナーブロックと前記アウターレールの間にそれぞれ配列された複数の転動体とを有するアクチュエータにおいて、
前記ねじ軸の両端部に設置される一対の端部部材の間にかけ渡される一対の側面カバーと、
前記側面カバー間に形成されると共に前記ねじ軸と平行に開口した開口部を閉塞するように配置される上面カバーとを備え、
前記側面カバーは、前記上面カバーと平行に形成される上板と、前記上板の一端から垂下する側板とを備え、
前記端部部材は、前記側面カバーの前記上板と側板のコーナー部に接触する姿勢保持手段を有することを特徴とするアクチュエータ。
【請求項２】
請求項１に記載のアクチュエータにおいて、
前記姿勢保持手段は、前記上板の一端を基点として前記側板を前記ねじ軸と平行な回転軸周りに回転させることを特徴とするアクチュエータ。
【請求項３】
請求項１又は２に記載のアクチュエータにおいて、
前記側面カバーは、前記ねじ軸と平行に延設されると共に、前記アウターレールに固定されることを特徴とするアクチュエータ。
【発明の詳細な説明】
【技術分野】
【０００１】
本発明は、アクチュエータに関し、特に、防塵機構を備えたフルカバータイプのアクチュエータに関する。
【背景技術】
【０００２】
従来より、アクチュエータ構造部の全面をカバーなどで覆い防塵機構を備えたフルカバータイプのアクチュエータが知られている。また、このようなアクチュエータの形態として、アクチュエータの端部から伸縮自在に組付けられたロッドを有するロッドタイプや、アクチュエータの上面に長手方向に沿って移動するスライダを有するスライダタイプなど種々の形態が知られている。
【０００３】
このようなフルカバータイプのアクチュエータは、種々の固定方法によって作業台などの基台に固定することができるが、作業者が基台の下に潜り込んで下方からアクチュエータを取り付ける場合には取り付けの作業性が悪いという問題があった。このような問題を解決するために特許文献１に記載されたアクチュエータは、カバーを取り外すことで、アクチュエータの上方からボルトによって基台に取り付けるという構成を有している。
【先行技術文献】
【特許文献】
【０００４】
【特許文献１】特開２０１３−１９５３４号公報
【発明の概要】
【発明が解決しようとする課題】
【０００５】
しかしながら、特許文献１に記載されているようなロッドタイプのアクチュエータにおいては、容易にカバーを取り外すことが可能であるが、スライダタイプのアクチュエータは、アクチュエータ上面にスライダが移動することができるように開口部が形成され、該開口部を上面カバーで閉塞するという構成を有している。この上面カバーは薄膜状のステンレステープによって構成されるため、上面カバーの端部に上面カバーの幅方向に沿った応力が付与されると容易に損傷してしまう。このため、側面カバーをアクチュエータの側面に取り付ける際に、該側面カバーの位置決めを正確に行わないとアクチュエータの上面に張架された上面カバーに接触して上面カバーの端部に幅方向に沿った応力が付与されることで上面カバーを損傷するという課題を有していた。また、このような理由から側面カバーを容易に着脱することができないため、アクチュエータを基台などに設置する際には、アクチュエータの上方から基台に対してボルトなどによって締結固定することができず、従前のように基台の下方からアクチュエータを固定するか、アクチュエータの側面にフランジを形成して該フランジを介してアクチュエータの上方からボルトによって基台に締結固定するという構成を採用せざるを得ず、依然として取り付けの作業性が悪く、フランジを形成する場合にはアクチュエータ自体が大型化してしまい、コスト抑制を図ることが難しいという問題を有していた。
【０００６】
本発明は、上記課題を解決するために成されたものであって、上面カバーを損傷することなく、容易に側面カバーを着脱することができ、側面カバーを取り外した状態でアクチュエータの上方から基台に対して締結固定することで、作業性を向上させるとともに、アクチュエータを大型化することなくコスト抑制を図ることができるアクチュエータを提供することを目的とする。
【課題を解決するための手段】
【０００７】
本発明に係るアクチュエータは、螺旋状の第１の転動体転走溝が外周に形成された長尺のねじ軸と、前記ねじ軸が貫通するねじ孔が形成されると共に、外周に前記ねじ軸と平行に形成された第２の転動体転走溝を有するインナーブロックと、前記第２の転動体転走溝と対向するアウターレールと、前記ねじ軸と前記インナーブロックの間および、前記インナーブロックと前記アウターレールの間にそれぞれ配列された複数の転動体とを有するアクチュエータにおいて、前記ねじ軸の両端部に設置される一対の端部部材の間にかけ渡される一対の側面カバーと、前記側面カバー間に形成されると共に前記ねじ軸と平行に開口した開口部を閉塞するように配置される上面カバーとを備え、前記側面カバーは、前記上面カバーと平行に形成される上板と、前記上板の一端から垂下する側板とを備え、前記端部部材は、前記側面カバーの前記上板と側板のコーナー部に接触する姿勢保持手段を有することを特徴とする。
【発明の効果】
【０００８】
本発明によれば、端部部材に側面カバーの着脱の際に、上面カバーが損傷することを防ぐことができ、作業性を向上させることができると共に、アクチュエータを大型化することなくコスト抑制を図ることができる。
【図面の簡単な説明】
【０００９】
【図１】本発明の第１の実施形態に係るアクチュエータの斜視図。
【図２】本発明の第１の実施形態に係るアクチュエータの分解図。
【図３】本発明の第１の実施形態に係るアクチュエータの端部部材の構成を説明するための一部分解斜視図。
【図４】図３におけるＬ方向矢視図。
【図５】本発明の第１の実施形態に係るアクチュエータの長手方向断面図。
【図６】本発明の第１の実施形態に係るアクチュエータの側面カバーの取付け方法であって、（１）は、側面カバーを挿入する状態、（２）は、側面カバーをねじ軸と平行な回転軸周りに回転させた状態、（３）は、側面カバーを締結固定した状態を示す組立説明図。
【図７】本発明の第２の実施形態に係るアクチュエータの端部部材の構成を説明するための一部分解斜視図。
【図８】図７におけるＬ方向矢視図。
【発明を実施するための形態】
【００１０】
以下、本発明に係るアクチュエータの実施形態について図面を参照しつつ説明する。なお、以下の実施形態は、各請求項に係る発明を限定するものではなく、また、実施形態の中で説明されている特徴の組み合わせの全てが発明の解決手段に必須であるとは限らない。
【００１１】
［第１の実施形態］
図１は、本発明の第１の実施形態に係るアクチュエータの斜視図であり、図２は、本発明の第１の実施形態に係るアクチュエータの分解図であり、図３は、本発明の第１の実施形態に係るアクチュエータの端部部材の構成を説明するための一部分解斜視図であり、図４は、図３におけるＬ方向矢視図であり、図５は、本発明の第１の実施形態に係るアクチュエータの長手方向断面図であり、図６は、本発明の第１の実施形態に係るアクチュエータの側面カバーの取付け方法であって、（１）は、側面カバーを挿入する状態、（２）は、側面カバーをねじ軸と平行な回転軸周りに回転させた状態、（３）は、側面カバーを締結固定した状態を示す組立説明図である。
【００１２】
図１に示すように、本実施形態に係るアクチュエータ１は、長手方向に沿って延びると共に、後述する第１の端部部材３１と第２の端部部材との間にかけ渡される一対の側面カバー４０と、該側面カバー４０の両端に設置される第１の端部部材３１および第２の端部部材３２とからなる一対の端部部材と、側面カバー４０の対向面間に長手方向に沿って形成された開口部５１を閉塞する上面カバー５０とを有して細長い箱型に形成されている。なお、第２の端部部材３２は、側蓋３３によって覆われており、本実施形態に係るアクチュエータ１の外形形状を形成しており、第１の端部部材３１および第２の端部部材３２には、後述する姿勢保持手段７０が形成されている。また、開口部５１に沿って往復移動するインナーブロック２０が該インナーブロック２０と重畳する位置にある上面カバー５０を迂回させるための後述する迂回手段６０を介して取付けられている。
【００１３】
図２に示すように、本実施形態に係るアクチュエータ１の内部には、外表面に螺旋状の第１の転動体転走溝１１が形成されると共に、長手方向に沿って延びるねじ軸１０が第１の端部部材３１および第２の端部部材３２の間で回転自在の状態で支持されており、その一端が第１の端部部材３１に形成された駆動手段収納部３４内に配置された図示しない駆動モータに連結されている。さらに、ねじ軸１０は、インナーブロック２０の下端に形成されたボールねじナット２２に挿通され、ねじ軸１０とインナーブロック２０との間に図示しないボールねじ用転動体を介して係合している。また、インナーブロック２０は、ねじ軸１０と平行に形成された第２の負荷転動体転走溝２５が両側面に其々２条、合計４条形成されている。さらに、ねじ軸１０と平行に穿孔された転動体戻し通路２６が、第２の負荷転動体転走溝２５に対応するように形成されている。またさらに、インナーブロック２０の両端面には、一対の蓋体２４が取り付けられている。
【００１４】
インナーブロック２０は、下端に配置されたアウターレール８０によってその往復運動が案内されており、アウターレール８０は、長手方向に沿って延びる底部８３と、底部８３の両端から立設してボールねじナット２２の両側面と対向する一対の側壁部８２とを有している。さらに、インナーブロック２０には、上面カバー５０を上下から挟み込むように移動板２１が取り付けられている。また、側壁部８２には、第２の負荷転動体転走溝２５と対向するように第２の転動体転走溝８２ａが形成され、第２の負荷転動体転走溝２５と第２の転動体転走溝８２ａとで転動体転走路を構成している。さらに、蓋体２４には、ねじ軸１０が挿通される貫通孔２４ａ及び、転動体転走路と転動体戻し通路２６とを連絡する方向転換路２４ｂが形成されている。
【００１５】
インナーブロック２０は、図示しない複数の転動体を介してアウターレール８０に組み付けられており、転動体は、転動体転走路、方向転換路２４ｂ及び転動体戻し通路２６からなる無限軌道内を転動することで無限循環してインナーブロック２０をアウターレール８０に沿って往復運動自在に案内している。
【００１６】
側面カバー４０は、上面カバー５０と平行に延びる上板４１と、この上板４１から垂下する側板４２とを有している。また、上板４１の端部には上面カバー５０に接触する封止部４３が形成されている。なお、封止部４３は、上面カバー５０を封止することができれば、どのように上面カバーと接触しても構わないが、例えば、永久磁石等を取り付けて上面カバー５０と磁着すると好適である。なお、上面カバー５０は、磁性を有するステンレステープなどを適用すると好適である。さらに、側面カバー４０は、側板４２をアウターレール８０に締結ボルト８１によって締結することで取付固定されている。
【００１７】
次に、図５を参照してインナーブロック２０に形成された迂回手段６０について説明を行う。迂回手段６０は、インナーブロック２０に取り付けられた第１の案内部６１と、移動板２１の下端に取り付けられた付勢手段６３によって付勢された第２の案内部６２とを備えている。上面カバー５０は、第１の案内部６１によって持ち上げられるので、上面カバー５０とインナーブロック２０と接触することがなく、移動板２１の外方から第２の案内部６２の下側、第１の案内部６１の上側を通ることで移動板２１とインナーブロック２０の間に架け渡されている。迂回手段６０はこのように構成されているので、インナーブロック２０の往復運動によって、上面カバー５０とインナーブロック２０とが干渉しないように構成されている。なお、上面カバー５０は、開口部５１よりも広幅に形成されており、側面カバー４０の下方に開口部５１に沿って配置することで開口部５１を閉塞している。
【００１８】
このように構成することで、本実施形態に係るアクチュエータ１は、駆動モータの回転によって、ねじ軸１０の回転運動に伴って、インナーブロック２０をねじ軸の軸方向に往復運動自在に取り付けられている。
【００１９】
また、迂回手段６０によって、インナーブロック２０の移動軌跡に沿って形成される開口部５１が上面カバー５０による閉塞状態を常に維持することが可能となっているので、ねじ軸１０とボールねじナット２２との摺動部分や、ボールねじナット２２とアウターレール８０との摺動部分等から発生した粉塵が開口部５１を介して外部に漏れ出すことがないようになっている。
【００２０】
図３及び４に示すように、第１の端部部材３１には、側面カバー４０の着脱の際に上面カバー５０と側面カバー４０とが接触することを防止する姿勢保持手段７０が形成されている。なお、第２の端部部材３２にも第１の端部部材３１に形成された姿勢保持手段７０と対向するように同一形状の姿勢保持手段７０が形成されている。
【００２１】
姿勢保持手段７０は、側面カバー４０の上板４１の基端側と接触する基点部７１と、該基点部７１から所定の角度だけ傾斜して延びる斜面７２とを備えている。姿勢保持手段７０は、側面カバー４０を上板４１の基端側を基点として側板４２をねじ軸１０と平行な回転軸周りに回転させることで、側面カバー４０の着脱の際に上面カバー５０の損傷を防止している。
【００２２】
即ち、図４に示すように、アウターレール８０に取り付けられた側面カバー４０は、上板４１の基端側を基点として側板４２をアウターレール８０から離間する方向に向かってねじ軸１０と平行な回転軸周りに回転させると共に、上板４１を斜面７２と平行な位置まで回転させることで上板４１と斜面７２とが当接して側面カバー４０の回転を制限している。このように構成することで、側面カバー４０がねじ軸１０と平行な回転軸周りに回転することによって、封止部４３を上面カバー５０から離間する方向に移動させることで上面カバー５０の端部に水平成分の応力を低減させることができ上面カバー５０の損傷を防止している。このように、斜面７２は、上面カバー５０の幅方向から所定の角度だけ傾斜すると共に、上板４１がねじ軸１０と平行な回転軸周りに回転した際に上板４１と平行になるように延設されている。
【００２３】
次に、図６を参照して、本実施形態に係るアクチュエータ１の側面カバーの取付方法について説明を行う。なお、側面カバー４０の取り外しは、取付方法と逆の手順によって取り外すことができる。
【００２４】
図６（１）に示すように、本実施形態に係るアクチュエータ１は、側面カバー４０を外した状態でアウターレール８０の上方から固定ボルト８４によって基台に締結固定される。その後、側面カバー４０の上板４１を斜面７２に沿って摺動させるように、側面カバー４０を挿入する。なお、側面カバー４０は、インナーブロック２０と重畳する位置では、インナーブロック２０に形成された溝２３に挿入され、溝底に突き当てるように組み付けられる。
【００２５】
図６（２）に示すように、上板４１の基端側と基点部７１とが当接するまで側面カバー４０を挿入した後、上板４１の基端側を基点として側板４２をねじ軸１０と平行な回転軸周りに回転させる。この回転に伴って、封止部４３は、上面カバー５０に近接する方向に移動するので、封止部４３は、上面カバー５０に不要な水平成分の応力を付与することがないので、上面カバー５０の端部を損傷することなく上面カバー５０に接触して開口部５１を閉塞することができる。なお、側面カバー４０は、インナーブロック２０の溝２３の溝幅の範囲を溝底と摺動しながら回転するので、側面カバー４０の位置決めを容易に行うことができる。
【００２６】
図６（３）に示すように、封止部４３が上面カバー５０を閉塞した状態で、締結ボルト８１によって側板４２をアウターレール８０に締結固定する。
【００２７】
このように、本実施形態に係るアクチュエータ１は、側面カバー４０を姿勢保持手段７０を介してねじ軸１０と平行な回転軸周りに回転させることで、上面カバー５０を損傷することなく、容易に側面カバー４０を着脱することができ、側面カバー４０を取り外した状態で本実施形態に係るアクチュエータ１の上方から基台に対して固定ボルト８４によって締結固定することで、作業性を向上させるとともに、アクチュエータ１を大型化することなくコスト抑制を図ることができる。
【００２８】
また、姿勢保持手段７０は、側面カバー４０の上板４１の基端部を基点として側板４２をねじ軸１０と平行な回転軸周りに回転させることができるので、上述した側面カバー４０の回転動作を簡便な構成で確実に実現することができる。
【００２９】
また、側面カバー４０をねじ軸１０と平行な回転軸周りに回転させた際に、上板４１と斜面７２とが当接して側板４２の回転を制限しているので、回転動作に伴って誤って上面カバー５０に接触することを防止することができる。
【００３０】
また、斜面７２は、上板４１と当接することで側面カバー４０の回転を制限する制限部として機能するので、基点部７１と斜面７２とを一体に構成することができることによる取付作業性の向上及びコスト抑制に寄与することができる。
【００３１】
［第２の実施形態］
以上説明した第１の実施形態に係るアクチュエータ１では、姿勢保持手段７０を基点部７１及び斜面７２により一体に形成した場合について説明を行った。次に説明する第２の実施形態のアクチュエータは、第１の実施形態とは異なる形態を有する姿勢保持手段の実施例について説明を行うものである。なお、上述した第１の実施形態の場合と同一又は類似する部材については、同一符号を付して説明を省略する。
【００３２】
図７は、本発明の第２の実施形態に係るアクチュエータの端部部材の構成を説明するための一部分解斜視図であり、図８は、図７におけるＬ方向矢視図である。
【００３３】
図７に示すように、本実施形態に係るアクチュエータ２の第１の端部部材３１´には、図示しない第２の端部部材と対向する面に基点部としての支持案内ピン７１´が突設されている。また、ピン７１´から離間すると共に、第１の端部部材３１´から突出するストッパ７３が取り付けられている。
【００３４】
図８に示すように、ストッパ７３は、上述した第１の実施形態に係るアクチュエータ１と同様に側面カバー４０をねじ軸１０と平行な回転軸周りに回転させた際に、上板４１の回転を制限する位置に取り付けられており、これによって第１の実施形態に係るアクチュエータ１の姿勢保持手段７０と同様の作用効果を奏することができる。
【００３５】
本実施形態に係るアクチュエータ２によれば、姿勢保持手段をピン７１´とストッパ７３とで構成しているので、ストッパ７３の大きさを適宜変更することで、回転動作の範囲を微調整することができ、側面カバー４０の着脱作業の作業性をより向上させることができる。
【００３６】
なお、本発明は、上記実施形態に限られることはなく、本発明の要旨を変更しない範囲において、種々の変更が可能である。例えば、第１及び第２の実施形態に係るアクチュエータ１，２では、軸部材及び移動部材について、ねじ軸１０をボールを介してボールねじナットに組み付けた例について説明を行ったが、ねじ軸１０は、ボールねじナットに対してボールを介さずに螺合することも可能である。
【００３７】
また、第１及び第２の実施形態に係るアクチュエータ１，２では、軸部材及び移動部材について、ねじ軸１０を採用した場合について説明を行ったが、ねじ軸に限らず、スプライン装置やリニアガイドなどといった種々の直線案内装置を採用することも可能である。
【００３８】
また、第１及び第２の実施形態に係るアクチュエータ１，２において、封止部４３は、磁石を用いた場合について説明を行ったが、上面カバー５０と側面カバー４０との閉塞を確実に行うことができれば、磁石を用いずに接触のみで閉塞しても構わない。その様な変更又は改良を加えた形態も本発明の技術的範囲に含まれうることが、特許請求の範囲の記載から明らかである。
【符号の説明】
【００３９】
１，２  アクチュエータ，    １０  ねじ軸，    ２０  インナーブロック,    ２２  ボールねじナット，    ３１，３１´  第１の端部部材，    ３２  第２の端部部材，    ４０  側面カバー，    ４１  上板，    ４２  側板,    ５０  上面カバー，    ５１  開口部，    ７０  姿勢保持手段，    ７１，７１´  基点部，    ７２  斜面，    ７３  ストッパ,    ８０  アウターレール。
【図１】
2014238134.tif 000003
【図２】
2014238134.tif 000004
【図３】
2014238134.tif 000005
【図４】
2014238134.tif 000006
【図５】
2014238134.tif 000007
【図６】
2014238134.tif 000008
【図７】
2014238134.tif 000009
【図８】
2014238134.tif 000010